(57)【特許請求の範囲】
【請求項１】
電力メータやガスメータを含む計量器を検針するために、検針員が携帯する検針端末であって、
前記計量器の指示数を入力する入力手段と、
前記入力手段で入力された指示数を該計量器の識別情報と対応付けて記憶する指示数記憶手段と、
前記入力手段で入力された指示数に基づく検針結果をお知らせ票として印刷する印刷手段と、
前記お知らせ票の印刷を一時保留する計量器である非印刷計量器の識別情報と、前記非印刷計量器に対する前記お知らせ票を一緒に印刷する計量器である複数印刷計量器の識別情報と、を含む印刷情報を記憶する印刷情報記憶手段と、を備え、
前記印刷情報として、複数の前記複数印刷計量器に対してそれぞれ一緒に印刷する前記非印刷計量器の識別情報が記憶され、前記指示数記憶手段への記憶を行った際に、前記印刷情報に基づいて、検針対象の計量器が前記非印刷計量器でない場合には、前記印刷手段によって前記お知らせ票を印刷し、検針対象の計量器が前記非印刷計量器の場合には、前記印刷手段による前記お知らせ票の印刷を一時保留し、検針対象の計量器が前記複数印刷計量器の場合には、該複数印刷計量器で一緒に印刷する前記識別情報の非印刷計量器の前記お知らせ票を前記印刷手段によって印刷する、
ことを備えることを特徴とする検針端末。
【請求項２】
検針対象の前記計量器の識別情報が検針順に配列され、かつ、前記非印刷計量器の識別情報の後に該非印刷計量器の複数印刷計量器の識別情報が配列された、検針ルートを記憶する検針ルート記憶手段を備える、
ことを特徴とする請求項１に記載の検針端末。
【請求項３】
電力メータやガスメータを含む計量器を検針するための検針システムであって、
検針員が携帯する検針端末と、センタに配設された検針管理装置とが通信自在に接続され、
前記検針端末は、前記計量器の指示数を入力する入力手段と、前記入力手段で入力された指示数に基づく検針結果をお知らせ票として印刷する印刷手段と、を備え、前記入力手段で前記指示数が入力されると、該指示数と該計量器の識別情報とを検針データとして前記検針管理装置に送信し、
前記検針管理装置は、前記お知らせ票の印刷を一時保留する計量器である非印刷計量器の識別情報と、前記非印刷計量器に対する前記お知らせ票を一緒に印刷する計量器である複数印刷計量器の識別情報と、を含む印刷情報を記憶する印刷情報記憶手段を備え、前記印刷情報として、複数の前記複数印刷計量器に対してそれぞれ一緒に印刷する前記非印刷計量器の識別情報が記憶され、前記検針データを受信すると、前記印刷情報に基づいて所定の印刷指令を前記検針端末に送信し、
前記検針端末は、前記印刷指令に従って、検針対象の計量器が前記非印刷計量器でない場合には、前記印刷手段によって前記お知らせ票を印刷し、検針対象の計量器が前記非印刷計量器の場合には、前記印刷手段による前記お知らせ票の印刷を一時保留し、検針対象の計量器が前記複数印刷計量器の場合には、該複数印刷計量器で一緒に印刷する前記識別情報の非印刷計量器の前記お知らせ票を前記印刷手段によって印刷する、
ことを特徴とする検針システム。
【請求項４】
前記検針管理装置は前記検針端末に対して、検針対象の前記計量器の識別情報が検針順に配列され、かつ、前記非印刷計量器の識別情報の後に該非印刷計量器の複数印刷計量器の識別情報が配列された、検針ルートを送信し、前記検針端末は前記検針ルートを記憶する、
ことを特徴とする請求項３に記載の検針システム。
【発明の詳細な説明】
【技術分野】
【０００１】
この発明は、電力メータやガスメータ、水道メータなどの計量器を検針し、検針結果をお知らせ票として印刷するための検針端末および検針システムに関する。
【背景技術】
【０００２】
例えば、検針員が電気の検針を行う場合、当日に予定されている訪問順序を検針端末（ハンディーターミナル）にダウンロードし、この検針端末を検針員が携帯して各需要家宅を訪問する。そして、需要家宅に設置されている電力メータの指示数を検針端末に入力、記録し、検針端末に一体的に備えられたプリンタや検針端末とは別体のプリンタから、検針結果をお知らせ票（検針票）として印刷して、該需要家にお知らせ票を配布する。
【０００３】
また、適切なタイミングで検針票の印字を行えるようにすることで、個人情報流出のリスクを低減する、という検針携帯端末が知られている（例えば、特許文献１参照。）。この検針携帯端末は、検針結果をすぐに印刷するか後で印刷するかを選択可能で、検針結果を一括印刷する指示を受けた場合に、記憶されている検針結果のうち、未印刷の検針結果を一括印刷するものである。
【先行技術文献】
【特許文献】
【０００４】
【特許文献１】特開２０１１−１４３７０７号公報
【発明の概要】
【発明が解決しようとする課題】
【０００５】
ところで、需要家によっては、複数の電力消費場所を有し、それぞれに電力メータが設置され、各電力メータのお知らせ票をまとめて特定の場所に配布しなければならない場合がある。例えば、畑ポンプ用の電力メータと居住宅（本宅）の電力メータとを有する場合に、２つのお知らせ票を居住宅に配布しなければならない場合がある。あるいは、アパートの共用部の電力メータとアパート経営者宅の電力メータとを有する場合に、２つのお知らせ票をアパート経営者宅に配布しなければならない場合がある。
【０００６】
このような場合、担当の検針員が配布先を覚えておき、複数のお知らせ票をまとめて配布している。しかしながら、担当の検針員が休んだりして、応援の検針員が代わって検針を行うなどの場合、その検針員は、複数のお知らせ票をまとめて配布することやその配布先を知らないため、あるいは、熟知していないため、配布先を間違ったり配布漏れが生じたりするおそれがあった。
【０００７】
一方、特許文献１の検針携帯端末では、未印刷の検針結果を一括印刷できるだけであり、複数の所定のお知らせ票をまとめて特定の場所に配布しなければならない場合には、やはり、検針員がまとめて配布することやその配布先を覚えていなければならない。
【０００８】
そこでこの発明は、複数の所定のお知らせ票をまとめて特定の場所に配布しなければならない場合に、適正かつ容易に配布することを可能にする検針端末および検針システムを提供することを目的とする。
【課題を解決するための手段】
【０００９】
上記課題を解決するために、請求項１の発明は、電力メータやガスメータを含む計量器を検針するために、検針員が携帯する検針端末であって、前記計量器の指示数を入力する入力手段と、前記入力手段で入力された指示数を該計量器の識別情報と対応付けて記憶する指示数記憶手段と、前記入力手段で入力された指示数に基づく検針結果をお知らせ票として印刷する印刷手段と、前記お知らせ票の印刷を一時保留する計量器である非印刷計量器の識別情報と、前記非印刷計量器に対する前記お知らせ票を一緒に印刷する計量器である複数印刷計量器の識別情報と、を含む印刷情報を記憶する印刷情報記憶手段と、を備え、前記印刷情報として、複数の前記複数印刷計量器に対してそれぞれ一緒に印刷する前記非印刷計量器の識別情報が記憶され、前記指示数記憶手段への記憶を行った際に、前記印刷情報に基づいて、検針対象の計量器が前記非印刷計量器でない場合には、前記印刷手段によって前記お知らせ票を印刷し、検針対象の計量器が前記非印刷計量器の場合には、前記印刷手段による前記お知らせ票の印刷を一時保留し、検針対象の計量器が前記複数印刷計量器の場合には、該複数印刷計量器で一緒に印刷する前記識別情報の非印刷計量器の前記お知らせ票を前記印刷手段によって印刷する、ことを備えることを特徴とする。
【００１０】
この発明によれば、入力手段で計量器の指示数を入力すると、この指示数が検針対象の計量器の識別情報と対応付けて指示数記憶手段に記憶される。そして、印刷情報記憶手段に記憶された印刷情報に基づいて、検針対象の計量器が非印刷計量器でない場合には、印刷手段によってお知らせ票（検針結果）が印刷され、検針対象の計量器が非印刷計量器の場合には、お知らせ票の印刷が一時保留され、検針対象の計量器が複数印刷計量器の場合には、この複数印刷計量器で一緒に印刷すべき非印刷計量器のお知らせ票が印刷手段によって印刷される。
【００１１】
請求項２の発明は、請求項１に記載の検針端末において、検針対象の前記計量器の識別情報が検針順に配列され、かつ、前記非印刷計量器の識別情報の後に該非印刷計量器の複数印刷計量器の識別情報が配列された、検針ルートを記憶する検針ルート記憶手段を備える、ことを特徴とする。
【００１２】
請求項３の発明は、電力メータやガスメータを含む計量器を検針するための検針システムであって、検針員が携帯する検針端末と、センタに配設された検針管理装置とが通信自在に接続され、前記検針端末は、前記計量器の指示数を入力する入力手段と、前記入力手段で入力された指示数に基づく検針結果をお知らせ票として印刷する印刷手段と、を備え、前記入力手段で前記指示数が入力されると、該指示数と該計量器の識別情報とを検針データとして前記検針管理装置に送信し、前記検針管理装置は、前記お知らせ票の印刷を一時保留する計量器である非印刷計量器の識別情報と、前記非印刷計量器に対する前記お知らせ票を一緒に印刷する計量器である複数印刷計量器の識別情報と、を含む印刷情報を記憶する印刷情報記憶手段を備え、前記印刷情報として、複数の前記複数印刷計量器に対してそれぞれ一緒に印刷する前記非印刷計量器の識別情報が記憶され、前記検針データを受信すると、前記印刷情報に基づいて所定の印刷指令を前記検針端末に送信し、前記検針端末は、前記印刷指令に従って、検針対象の計量器が前記非印刷計量器でない場合には、前記印刷手段によって前記お知らせ票を印刷し、検針対象の計量器が前記非印刷計量器の場合には、前記印刷手段による前記お知らせ票の印刷を一時保留し、検針対象の計量器が前記複数印刷計量器の場合には、該複数印刷計量器で一緒に印刷する前記識別情報の非印刷計量器の前記お知らせ票を前記印刷手段によって印刷する、ことを特徴とする。
【００１３】
この発明によれば、検針端末の入力手段で計量器の指示数を入力すると、この指示数と検針対象の計量器の識別情報とが検針データとして検針管理装置に送信される。次に、検針管理装置の印刷情報記憶手段に記憶された印刷情報に基づいて、検針管理装置から検針端末に所定の印刷指令が送信される。そして、この印刷指令に従って検針端末は、検針対象の計量器が非印刷計量器でない場合には、お知らせ票（検針結果）を印刷し、検針対象の計量器が非印刷計量器の場合には、お知らせ票の印刷を一時保留し、検針対象の計量器が複数印刷計量器の場合には、この複数印刷計量器で一緒に印刷すべき非印刷計量器のお知らせ票を印刷する。
【００１４】
請求項４の発明は、請求項３に記載の検針システムにおいて、前記検針管理装置は前記検針端末に対して、検針対象の前記計量器の識別情報が検針順に配列され、かつ、前記非印刷計量器の識別情報の後に該非印刷計量器の複数印刷計量器の識別情報が配列された、検針ルートを送信し、前記検針端末は前記検針ルートを記憶する、ことを特徴とする。
【発明の効果】
【００１５】
請求項１および請求項３の発明によれば、予め記憶された印刷情報に基づいて、検針対象の計量器が非印刷計量器の場合には、お知らせ票の印刷が一時保留されて、検針対象の計量器が複数印刷計量器の場合に、この複数印刷計量器で一緒に印刷すべき非印刷計量器のお知らせ票が印刷される。このため、複数の所定のお知らせ票をまとめて特定の場所（複数印刷計量器の需要家宅など）に配布しなければならない場合に、誰でも適正（漏れや間違いなどなく）かつ容易に配布することが可能となる。
【００１６】
請求項２および請求項４の発明によれば、検針ルートにおいて、非印刷計量器の識別情報の後にこの非印刷計量器の複数印刷計量器の識別情報が配列されているため、非印刷計量器を検針した後に、この非印刷計量器のお知らせ票を印刷すべき複数印刷計量器を検針することになる。このため、複数印刷計量器を検針した際に、印刷すべき全非印刷計量器のお知らせ票を一度にまとめて印刷、配布することができ、円滑かつ効率的な検針が可能となる。
【図面の簡単な説明】
【００１７】
【図１】この発明の実施の形態１に係る検針端末を示す構成ブロック図である。
【図２】図１の検針端末の外観を示す正面図である。
【図３】図１の検針端末から出力されるお知らせ票を示す図である。
【図４】図１の検針端末の記憶部のデータ構成図である。
【図５】図１の検針端末の検針プログラムのフローチャートである。
【図６】この発明の実施の形態２に係る検針システムを示す概略構成図である。
【図７】図６の検針システムのホストサーバを示す構成ブロック図である。
【図８】図６の検針システムの動作を示すタイミングチャートである。
【発明を実施するための形態】
【００１８】
以下、この発明を図示の実施の形態に基づいて説明する。
【００１９】
（実施の形態１）
図１は、この実施の形態に係る検針端末１を示す構成ブロック図であり、図２は、検針端末１の外観を示す正面図である。この検針端末１は、電力メータやガスメータ、水道メータを含む計量器を検針するために、検針員が携帯する端末であり、主として、入力部（入力手段）１２と、表示部１３と、印刷部（印刷手段）１４と、通信部１５と、記憶部（指示数記憶手段、印刷情報記憶手段、検針ルート記憶手段）１６と、検針プログラム１７と、これらを制御などする中央処理部１８と、を備えている。ここで、この実施の形態では、計量器が電力メータの場合について、主として説明する。
【００２０】
入力部１２は、電力メータの指示数などを入力するためのインターフェイスであり、テンキーや登録キーなどを含む。表示部１３は、検針対象の電力メータのメータ番号（識別情報）や需要家名などを表示するためのディスプレイである。
【００２１】
印刷部１４は、入力部１２で入力された指示数に基づく検針結果をお知らせ票Ｒとして印刷するプリンタであり、記憶部１６に記憶された情報・データに基づいて、図３に示すようなお知らせ票Ｒを、図２に示す出力ポート１４１から出力するようになっている。通信部１５は、電力会社の管理センタに配設されたホストサーバ（検針管理装置）などと通信するためのインターフェイスである。
【００２２】
記憶部１６は、検針対象の電力メータに関する情報を記憶するメモリであり、入力部１２で入力された指示数を該電力メータの識別情報と対応付けて記憶したり、お知らせ票Ｒの印刷を一時保留する電力メータである非印刷計量器（子機）の識別情報と、非印刷計量器に対するお知らせ票Ｒを一緒に印刷する電力メータである複数印刷計量器（親機）の識別情報と、を含む印刷情報を記憶したり、検針対象の電力メータの識別情報が検針順に配列・配置され、かつ、非印刷計量器の識別情報の後に該非印刷計量器の複数印刷計量器の識別情報が配列された、検針ルートを記憶したりする。
【００２３】
具体的には、図４に示すように、契約番号１６１ごとに、メータ番号１６２、需要家名１６３、所在地１６４、連絡先１６５、前回指示数１６６、今回指示数１６７、契約種別１６８、印刷保留１６９、複数印刷１６ａおよびその他１６ｂが記憶されている。そして、契約番号１６１には、契約を識別する番号が記憶され、メータ番号１６２には、需要家宅（電力消費箇所）に設置されている電力メータの識別番号が記憶されている。
【００２４】
需要家名１６３には、需要家・契約者の氏名が記憶され、所在地１６４には、需要家宅の所在地住所が記憶され、連絡先１６５には、需要家の連絡先電話番号などが記憶されている。前回指示数１６６には、前回検針時の電力メータの指示数が記憶され、今回指示数１６７には、今回検針時の指示数が記憶されるようになっており、契約種別１６８には、従量電灯Ａなどの契約された電力供給の種別が記憶されている。このように、メータ番号１６２と今回指示数１６７とによって、入力部１２で入力された指示数を該電力メータの識別情報と対応付けて記憶するようになっている。
【００２５】
印刷保留１６９には、該電力メータが、検針時にお知らせ票Ｒをすぐに印刷しないで一時保留する非印刷計量器であるか否かが記憶されている。さらに、非印刷計量器である場合には、この非印刷計量器に対するお知らせ票Ｒを一緒に印刷する電力メータである複数印刷計量器の識別情報（メータ番号１６２）または契約番号１６１が記憶されている。
【００２６】
複数印刷１６ａには、該電力メータが、非印刷計量器に対するお知らせ票Ｒを一緒に印刷する電力メータである複数印刷計量器であるか否かが記憶されている。さらに、複数印刷計量器である場合には、お知らせ票Ｒを一緒に印刷する非印刷計量器の識別情報（メータ番号１６２）または契約番号１６１が記憶されている。このように、印刷保留１６９と複数印刷１６ａとによって、非印刷計量器と複数印刷計量器の識別情報を含む印刷情報を記憶するようになっている。
【００２７】
ここで、非印刷計量器と複数印刷計量器との組み合わせは複数有し、また、１つの複数印刷計量器に対して複数の非印刷計量器を有する場合がある。すなわち、複数の複数印刷計量器が記憶され、各複数印刷計量器に対して、それぞれ１つまたは複数の非印刷計量器が記憶されている。
【００２８】
このような１つの電力メータに対する情報・データ１６１〜１６ｂであるメータ情報郡１６０が、所定の条件（地理的条件等）に基づいて、検針員が訪問する電力メータの検針順に配列され、かつ、非印刷計量器のメータ情報郡１６０の後に、該非印刷計量器に対する複数印刷計量器のメータ情報郡１６０が配列されている。このようにして、各電力メータに関するメータ情報郡１６０が、検針順・訪問順に記憶されていることで、検針ルートが記憶されている。
【００２９】
また、このような情報・データ１６１〜１６ｂ（検針ルート）は、電力会社のホストサーバからダウンロードされるようになっている。さらに、印刷保留１６９と複数印刷１６ａは、検針端末１を介して各検針員から情報をホストサーバに送信したり、ホストサーバで情報を入力したりすることで、登録・記憶されるようになっている。
【００３０】
検針プログラム１７は、検針業務を行うために、表示部１３に各種情報・データを表示したり、印刷部１４からのお知らせ票Ｒの印刷を制御したりするプログラムであり、次の制御を含む。すなわち、記憶部１６に指示数を記憶した際に、印刷情報に基づいて、検針対象の電力メータが非印刷計量器でない場合には、印刷部１４によってお知らせ票Ｒを印刷し、検針対象の電力メータが非印刷計量器の場合には、印刷部１４によるお知らせ票Ｒの印刷を一時保留し、検針対象の電力メータが複数印刷計量器の場合には、該複数印刷計量器と一緒に印刷する非印刷計量器のお知らせ票Ｒを印刷部１４によって印刷する。
【００３１】
具体的には、図５に示すように、まず、最初の検針対象の電力メータの情報を記憶部１６から取得して、メータ番号１６２や需要家名１６３、所在地１６４などを表示部１３に表示する（ステップＳ１）。次に、入力部１２によって電力メータの指示数が入力されると（ステップＳ２）、この指示数を表示部１３に表示するとともに、記憶部１６の今回指示数１６７に記憶する（ステップＳ３）。
【００３２】
続いて、記憶部１６の印刷保留１６９に基づいて、この電力メータが非印刷計量器であるか否か、つまり、お知らせ票Ｒの印刷を一時保留するか否かを判断する（ステップＳ４）。そして、非印刷計量器の場合（ステップＳ４で「Ｙ」の場合）には、お知らせ票Ｒの印刷をしないでステップＳ１に戻り、次の検針対象の電力メータの情報を記憶部１６から取得して表示部１３に表示する。
【００３３】
一方、非印刷計量器でない場合（ステップＳ４で「Ｎ」の場合）には、ステップＳ２で入力された指示数などに基づいて、この電力メータに対するお知らせ票Ｒを作成して、印刷部１４によって印刷する（ステップＳ５）。ここで、非印刷計量器でない場合には、この電力メータが複数印刷計量器の場合を含み、複数印刷計量器の場合には、ステップＳ５においてこの電力メータに対するお知らせ票Ｒを印刷する。
【００３４】
次に、記憶部１６の複数印刷１６ａに基づいて、この電力メータが複数印刷計量器であるか否か、つまり、非印刷計量器に対するお知らせ票Ｒを一緒に印刷するか否かを判断する（ステップＳ６）。そして、複数印刷計量器でない場合（ステップＳ６で「Ｎ」の場合）には、ステップＳ１に戻って、次の検針対象の電力メータの情報を記憶部１６から取得して表示部１３に表示する。
【００３５】
一方、複数印刷計量器の場合（ステップＳ６で「Ｙ」の場合）には、この複数印刷計量器と一緒に印刷すべき非印刷計量器のお知らせ票Ｒを印刷する（ステップＳ７）。すなわち、複数印刷１６ａから非印刷計量器のメータ番号１６２（契約番号１６１）を取得し、このメータ番号１６２の今回指示数１６７などを記憶部１６から取得して、非印刷計量器に対するお知らせ票Ｒを作成して、印刷部１４によって印刷する。この際、複数印刷１６ａに複数の非印刷計量器のメータ番号１６２が記憶されている場合には、すべての非印刷計量器に対してお知らせ票Ｒを印刷する。その後、ステップＳ１に戻って、次の検針対象の電力メータの情報を記憶部１６から取得して表示部１３に表示する、という処理を検針順・検針ルートに従って順次行うものである。
【００３６】
次に、このような構成の検針端末１の作用および検針端末１による検針方法などについて説明する。
【００３７】
まず、各検針員が管理センタのホストサーバから、自己の検針ルートを検針端末１にダウンロードする。これにより、上記のようにして、この検針員が訪問する検針順に、各電力メータに関するメータ情報郡１６０が記憶部１６に記憶される。ただし、今回指示数１６７については、ブランク（空欄）となっている。
【００３８】
次に、検針プログラム１７を起動させて検針業務を開始すると、上記のようにして、検針対象の電力メータの情報が表示部１３に表示されるため、これに従って需要家宅に訪問する。次に、指示数を入力、記憶すると、この電力メータが非印刷計量器（例えば、アパート共用部のメータ）の場合には、お知らせ票Ｒの印刷が一時保留され、非印刷計量器でない場合には、この電力メータに対するお知らせ票Ｒがその場で印刷される。そして、このお知らせ票Ｒをこの電力メータの需要家に配布する。
【００３９】
続いて、この電力メータが複数印刷計量器（例えば、アパート経営者宅のメータ）である場合には、この複数印刷計量器と一緒に印刷すべき非印刷計量器のお知らせ票Ｒが印刷されるため、このお知らせ票Ｒもこの需要家に配布する。つまり、複数印刷計量器（訪問対象の電力メータ）のお知らせ票Ｒと非印刷計量器のお知らせ票Ｒとを、一緒にこの需要家に配布する。
【００４０】
このような検針業務を検針順・検針ルートに従って順次行うものである。これにより、ある複数印刷計量器に対する検針を行うと、この複数印刷計量器と一緒に印刷すべき非印刷計量器のお知らせ票Ｒが印刷され、別の複数印刷計量器に対する検針を行うと、この複数印刷計量器と一緒に印刷すべき非印刷計量器のお知らせ票Ｒが印刷される。
【００４１】
以上のように、本検針端末１によれば、予め記憶された印刷情報に基づいて、自動的に、検針対象の電力メータが非印刷計量器の場合には、お知らせ票Ｒの印刷が一時保留されて、検針対象の電力メータが複数印刷計量器の場合に、この複数印刷計量器で一緒に印刷すべき非印刷計量器のお知らせ票Ｒが印刷される。このため、複数の所定のお知らせ票Ｒをまとめて特定の場所（複数印刷計量器の需要家宅など）に配布しなければならない場合に、誰でも適正（漏れや間違いなどなく）かつ容易に配布することが可能となる。
【００４２】
また、検針ルートにおいて、印刷を保留する非印刷計量器の後に、この非印刷計量器のお知らせ票Ｒも印刷（一括印刷）すべき複数印刷計量器が配列されているため、非印刷計量器を検針した後にこの非印刷計量器の複数印刷計量器を検針することになる。このため、複数印刷計量器を検針した際に、印刷すべき全非印刷計量器のお知らせ票を一度にまとめて印刷、配布することができ、円滑かつ効率的な検針が可能となる。すなわち、複数印刷計量器を検針した後に非印刷計量器を検針する場合には、再度複数印刷計量器の設置場所に行かなければならないが、本検針端末１によればそのような必要がなく、複数印刷計量器の設置場所に一度行くだけで、複数の所定の非印刷計量器のお知らせ票Ｒをまとめて印刷、配布することができる。
【００４３】
（実施の形態２）
図６は、この実施の形態に係る検針システム１０を示す概略構成図であり、実施の形態１と同等の構成については、同一符号を付することで、その説明を省略する。
【００４４】
検針システム１０は、各需要家宅Ｈに設置された電力メータＨ１を検針するための検針システムであり、検針員Ｋが携帯する検針端末１と、電力会社の管理センタＣに配設されたホストサーバ（検針管理装置）２とが、通信網Ｎを介して通信自在に接続されている。
【００４５】
検針端末１は、実施の形態１と同等の構成であるが、次の点において実施の形態１と構成が異なる。第１に、記憶部１６には、印刷保留１６９と複数印刷１６ａとを含まず、印刷情報が記憶されていない。第２に、入力部１２で指示数が入力されると、この指示数と検針対象の電力メータＨ１の識別情報（メータ番号１６２）とを、検針データとしてホストサーバ２に送信する。第３に、検針プログラム１７は、お知らせ票Ｒの印刷を制御せず（ステップＳ４〜Ｓ７を含まず）、ホストサーバ２から受信した印刷指令に従って、お知らせ票Ｒを作成、印刷する。
【００４６】
具体的には、印刷指令に従って、検針対象の電力メータＨ１が非印刷計量器でない場合には、印刷部１４によってお知らせ票Ｒを印刷し、検針対象の電力メータＨ１が非印刷計量器の場合には、印刷部１４によるお知らせ票Ｒの印刷を一時保留し、検針対象の電力メータＨ１が複数印刷計量器の場合には、この複数印刷計量器で一緒に印刷する非印刷計量器のお知らせ票Ｒを印刷部１４によって印刷するものである。
【００４７】
ホストサーバ２は、図７に示すように、入力部２１と、通信部２２と、検針データベース（印刷情報記憶手段）２３と、ルートプログラム２４と、印刷プログラム２５と、これらを制御などする中央処理部２６と、を備えている。入力部２１は、各種情報や指令を入力するためのインターフェイスであり、通信部２２は、各検針端末１などと通信するためのインターフェイスである。
【００４８】
検針データベース２３は、すべての検針対象の電力メータＨ１に関する情報を記憶するデータベースであり、実施の形態１における図４と同等のデータ構成となっている。つまり、各電力メータＨ１に対して各情報・データ１６１〜１６ｂを記憶し、印刷情報も記憶している。ルートプログラム２４は、各検針端末１（各検針員Ｋ）に対する検針順序・ルートを策定するプログラムであり、所定の条件（地理的条件等）に基づいて検針ルートを策定する。この際、非印刷計量器の識別情報の後に、この非印刷計量器のお知らせ票Ｒを印刷すべき複数印刷計量器の識別情報が配列・配置されるように、検針ルートを策定する。
【００４９】
このようにして、実施の形態１と同様に各検針端末１に対して、検針対象の電力メータＨ１のメータ情報郡１６０（印刷保留１６９と複数印刷１６ａを除く）が、検針順に配列されて検針ルートが策定され、ホストサーバ２から各検針端末１に対して検針ルートが送信される。これを受けて、検針端末１の記憶部１６に検針ルート（各メータ情報郡１６０）が記憶されるものである。
【００５０】
印刷プログラム２５は、検針端末１から検針データを受信すると、検針データと印刷情報とに基づいて所定の印刷指令を検針端末１に送信するプログラムである。すなわち、検針データ（検針対象）の電力メータＨ１が非印刷計量器でない場合には、この電力メータＨ１のお知らせ票Ｒをすぐに印刷すべき指令（当器印刷指令）を検針端末１に送信する。また、検針対象の電力メータＨ１が非印刷計量器の場合には、お知らせ票Ｒの印刷を一時保留にすべき指令（印刷保留指令）を検針端末１に送信する。さらに、検針対象の電力メータＨ１が複数印刷計量器の場合には、非印刷計量器のお知らせ票Ｒを一緒に印刷すべき指令であり、印刷すべき非印刷計量器の識別情報（メータ番号１６２）を含む指令（一括印刷指令）を検針端末１に送信する。
【００５１】
このような構成の検針システム１０では、図８に示すように、まず、ホストサーバ２においてルートプログラム２４が起動され（ステップＳ１１）、各検針員Ｋに対する検針ルートが策定されて、検針ルートが各検針端末１に送信される（ステップＳ１２）。これを受けて、各検針端末１の記憶部１６に検針ルートが記憶され（ステップＳ１３）、検針プログラム１７を起動させて検針業務を開始する。
【００５２】
そして、実施の形態１と同様にして、検針ルートに従って需要家宅Ｈを訪問し、検針端末１に指示数を入力すると（ステップＳ１４）、記憶部１６の今回指示数１６７に指示数が記憶される（ステップＳ１５）。続いて、検針対象の電力メータＨ１のメータ番号１６２と指示数とを含む検針データが、検針端末１からホストサーバ２に送信され（ステップＳ１６）、検針データベース２３の該当する今回指示数１６７に指示数が記憶される（ステップＳ１７）。
【００５３】
次に、印刷プログラム２５が起動され（ステップＳ１８）、上記のように、検針データと印刷情報とに基づいて所定の印刷指令が検針端末１に送信される（ステップＳ１９）。そして、検針端末１において、当器印刷指令を受信した場合には、検針対象の電力メータＨ１のお知らせ票Ｒがその場で印刷される。また、印刷保留指令を受信した場合には、お知らせ票Ｒの印刷が一時保留され、さらに、一括印刷指令を受信した場合には、検針対象の電力メータＨ１と非印刷計量器のお知らせ票Ｒとが一緒に印刷される（ステップＳ２０）。そして、印刷されたお知らせ票Ｒを、訪問・検針している電力メータＨ１が設置されている需要家に配布するものである。
【００５４】
このように、この実施の形態によれば、実施の形態１と同様に、複数の所定のお知らせ票Ｒをまとめて特定の場所（複数印刷計量器の需要家宅Ｈなど）に配布しなければならない場合に、誰でも適正（漏れや間違いなどなく）かつ容易に配布することが可能となる。また、複数印刷計量器を検針した際に、印刷すべき全非印刷計量器のお知らせ票Ｒを一度にまとめて印刷、配布することができ、円滑かつ効率的な検針が可能となる。
【００５５】
さらに、各検針端末１の記憶部１６に印刷情報を記憶する必要がないため、各検針端末１の記憶部１６の容量を削減することができる。また、各検針端末１においてお知らせ票Ｒの印刷を制御せず、ホストサーバ２において一元的・統括的に制御するため、各検針端末１の制御負担を軽減することができるばかりでなく、需要家の事情などに応じた柔軟かつ迅速な対応が可能となる。
【００５６】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、検針端末１に印刷部１４を一体的に備える場合について説明したが、検針端末１の本体と印刷機とが別体であってもよいことは勿論である。
【符号の説明】
【００５７】
１        検針端末
１２      入力部（入力手段）
１３      表示部
１４      印刷部（印刷手段）
１５      通信部
１６      記憶部（指示数記憶手段、印刷情報記憶手段、検針ルート記憶手段）
１７      検針プログラム
１０      検針システム
２        ホストサーバ（検針管理装置）
２３      検針データベース（印刷情報記憶手段）
２４      ルートプログラム
２５      印刷プログラム
Ｈ        需要家宅
Ｈ１      電力メータ（計量器）
Ｋ        検針員
Ｒ        お知らせ票
【図１】
0005941126.tif 000002
【図２】
0005941126.tif 000003
【図３】
0005941126.tif 000004
【図４】
0005941126.tif 000005
【図５】
0005941126.tif 000006
【図６】
0005941126.tif 000007
【図７】
0005941126.tif 000008
【図８】
0005941126.tif 000009